【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
マルチキャリア動作において測定を実行することを容易にする方法であって、
複数のセルからセルのサブセットを判断することと、ここにおいて、前記セルのサブセットは、ワイヤレス端末に関連する複数のサービングセルからの１つのサービングセルを含み、前記複数のサービングセルは前記ワイヤレス端末のマルチキャリア構成をサポートし、ここにおいて、前記セルのサブセットは、非サービング周波数に関連する非サービングセルのセットからの１つの非サービングセルをさらに含み、
サービング周波数上で前記サービングセルに関連する第１の測定値と、前記非サービング周波数上で前記非サービングセルに関連する第２の測定値とを取得すること、
測定イベントの発生をモニタすることと、ここにおいて、前記測定イベントは、前記第１の測定値と前記第２の測定値との間の比較に基づく、
測定レポートを送信することと
を備え、ここにおいて、前記送信することは、前記測定イベントの前記発生によってトリガされ、
前記モニタすることは、前記複数のサービングセルのうちのいずれかに関連する第２のパフォーマンスパラメータを超える、前記非サービングセルに関連する第１のパフォーマンスパラメータの後続の発生を検出することを備え、ここにおいて、前記送信することは、前記後続の発生に関連する後続の測定レポート送信を抑制することをさらに備える、
方法。
【請求項２】
前記判断することは、前記非サービングセルを前記非サービングセルのセットの所定のサブセットから判断されるように限定することを備える、
請求項１に記載の方法。
【請求項３】
前記非サービングセルを識別することをさらに備える、
請求項１に記載の方法。
【請求項４】
前記識別することは、セル識別のための信号からセクタ識別情報を確認することを備える、
請求項３に記載の方法。
【請求項５】
前記識別することは、外部エンティティから受信された測定値構成中で前記非サービングセルのリスティングを検出することを備える、
請求項３に記載の方法。
【請求項６】
マルチキャリア動作において測定を実行することを容易にするように構成された装置であって、
メモリと、
前記メモリに結合され、前記メモリに記憶されたコンピュータ実行可能コンポーネントを実行するように構成された少なくとも１つのプロセッサを備え、前記コンポーネントは、
複数のセルからセルのサブセットを判断するように構成された選択コンポーネントと、ここにおいて、前記セルのサブセットは、ワイヤレス端末に関連する複数のサービングセルからの１つのサービングセルを含み、前記複数のサービングセルは前記ワイヤレス端末のマルチキャリア構成をサポートし、ここにおいて、前記セルのサブセットは、非サービング周波数に関連する非サービングセルのセットからの少なくとも１つの非サービングセルをさらに含み、
サービング周波数上で前記サービングセルに関連する第１の測定値と、前記非サービング周波数上で前記非サービングセルに関連する第２の測定値とを取得するように構成された評価コンポーネントと、
測定イベントの発生をモニタするように構成されたイベントコンポーネントと、ここにおいて、前記測定イベントは、前記第１の測定値と前記第２の測定値との間の比較に基づく、
測定レポートを送信するように構成された通信コンポーネントと
を含み、ここにおいて、前記送信することは、前記測定イベントの前記発生によってトリガされ、
前記イベントコンポーネントは、前記複数のサービングセルのうちのいずれかに関連する第２のパフォーマンスパラメータを超える、前記非サービングセルに関連する第１のパフォーマンスパラメータの後続の発生を検出するように構成され、ここにおいて、前記通信コンポーネントは、前記後続の発生に関連する後続の測定レポート送信を抑制するように構成される、
装置。
【請求項７】
前記選択コンポーネントは、
前記非サービングセルを、前記非サービングセルのセットの所定のサブセットから判断されるように限定するように構成される、
請求項６に記載の装置。
【請求項８】
前記イベントコンポーネントは、前記非サービングセルを識別するように構成される、
請求項６に記載の装置。
【請求項９】
前記イベントコンポーネントは、セル識別のための信号からセクタ識別情報を確認するように構成される、
請求項８に記載の装置。
【請求項１０】
前記イベントコンポーネントは、外部エンティティから受信された測定値構成中で前記非サービングセルのリスティングを検出するように構成される、
請求項８に記載の装置。
【請求項１１】
非一時的コンピュータ可読媒体であって、
複数のセルからセルのサブセットを判断することと、ここにおいて、前記セルのサブセットは、ワイヤレス端末に関連する複数のサービングセルからの１つのサービングセルを含み、前記複数のサービングセルは前記ワイヤレス端末のマルチキャリア構成をサポートし、ここにおいて、前記セルのサブセットは、非サービング周波数に関連する非サービングセルのセットからの１つの非サービングセルをさらに含み、
サービング周波数上で前記サービングセルに関連する第１の測定値と、前記非サービング周波数上で前記非サービングセルに関連する第２の測定値とを取得することと、
測定イベントの発生をモニタすることと、ここにおいて、前記測定イベントは、前記第１の測定値と前記第２の測定値との間の比較に基づく、
測定レポートを送信することと、ここにおいて、前記送信することは、前記測定イベントの前記発生によってトリガされ、
前記複数のサービングセルのうちのいずれかに関連する第２のパフォーマンスパラメータを超える、前記非サービングセルに関連する第１のパフォーマンスパラメータの後続の発生を検出することと、ここにおいて、前記後続の発生に関連する後続の測定レポート送信は抑制される
を行うためのコンピュータ実行可能なコードを記憶する、非一時的コンピュータ可読媒体。
【請求項１２】
前記非サービングセルを、前記非サービングセルのセットの所定のサブセットから判断されるように限定するためのコンピュータ実行可能なコードをさらに記憶する、
請求項１１に記載の非一時的コンピュータ可読媒体。
【請求項１３】
前記非サービングセルを識別するためのコンピュータ実行可能なコードをさらに記憶する、
請求項１１に記載の非一時的コンピュータ可読媒体。
【請求項１４】
セル識別のための信号からセクタ識別情報を確認するためのコンピュータ実行可能なコードをさらに記憶する、請求項１３に記載の非一時的コンピュータ可読媒体。
【請求項１５】
外部エンティティから受信された測定値構成中で前記非サービングセルのリスティングを検出するためのコンピュータ実行可能なコードをさらに記憶する、
請求項１３に記載の非一時的コンピュータ可読媒体。
【請求項１６】
マルチキャリア動作において測定を実行することを容易にするように構成された装置であって、
複数のセルからセルのサブセットを判断するための手段と、ここにおいて、前記セルのサブセットは、ワイヤレス端末に関連する複数のサービングセルからの１つのサービングセルを含み、前記複数のサービングセルは前記ワイヤレス端末のマルチキャリア構成をサポートし、ここにおいて、前記セルのサブセットは、非サービング周波数に関連する非サービングセルのセットからの１つの非サービングセルをさらに含み、
サービング周波数上で前記サービングセルに関連する第１の測定値と、前記非サービング周波数上で前記非サービングセルに関連する第２の測定値とを取得するための手段と、
測定イベントの発生をモニタするための手段と、ここにおいて、前記測定イベントは、前記第１の測定値と前記第２の測定値との間の比較に基づく、
測定レポートを送信するための手段と
を備え、ここにおいて、前記送信することは、前記測定イベントの前記発生によってトリガされ、
前記モニタするための手段は、前記複数のサービングセルのうちのいずれかに関連する第２のパフォーマンスパラメータを超える、前記非サービングセルに関連する第１のパフォーマンスパラメータの後続の発生を検出するための手段を備え、ここにおいて、前記送信するための手段は、前記後続の発生に関連する後続の測定レポート送信を抑制するための手段をさらに備える、
装置。